(57)【要約】      （修正有）【課題】直熱管を用いた真空管式オーディオアンプのハムノイズ除去方法、及びその方法を利用したハムノイズ除去回路を提供する。【解決手段】直熱型オーディオアンプ４０に電源を供給する電源トランス２２０、又は電源トランス２２０と同一系統の商用電源１０に接続された電源トランスから出力される交流をハムノイズ除去源信号とする。アナログ乗算回路３２でハムノイズ除去源信号の周波数を２逓倍された交流の位相及び／又は振幅を位相調整・振幅調整回路３３で調整した出力をハムノイズ除去信号とし、直熱型オーディオアンプ４０のグリッドにおいて音声信号と混合することによりハムノイズを除去する。【選択図】図１
2020088645.tif 000002
【特許請求の範囲】
【請求項１】
直熱管を用いた真空管式オーディオアンプで発生するハムノイズを除去するハムノイズ除去方法であって、
前記真空管式オーディオアンプに供給される商用電源と同一系統の商用電源に接続された電源トランスから出力される交流を、ハムノイズを除去するハムノイズ除去源信号とし、
前記ハムノイズ除去源信号の位相を反転又は同位相のまま、アナログ乗算回路によりその周波数を２逓倍し、その後、その位相及び／又は振幅を調整してハムノイズ除去信号を生成し、
前記ハムノイズ除去信号を前記真空管式オーディオアンプのグリッドにおいて音声信号と混合しハムノイズを除去することを特徴とする直熱管を用いた真空管式オーディオアンプのハムノイズ除去方法。
【請求項２】
前記アナログ乗算回路に入力する前の前記ハムノイズ除去源信号の遅れ位相又は進み位相を調整することを特徴とする請求項１に記載の直熱管を用いた真空管式オーディオアンプのハムノイズ除去方法。
【請求項３】
直熱管を用いた真空管式オーディオアンプで発生するハムノイズを除去するハムノイズ除去回路であって、
前記真空管式オーディオアンプに電源を供給する電源トランスと、
前記電源トランス又は前記電源トランスと同一系統の商用電源に接続された電源トランスから出力される交流をハムノイズ除去源信号とし、前記ハムノイズ除去源信号の周波数を２逓倍するアナログ乗算回路と、
前記アナログ乗算回路で２逓倍された交流の位相及び／又は振幅を調整する位相・振幅調整回路と、
前記位相・振幅調整回路からの出力であるハムノイズ除去信号を前記真空管式オーディオアンプのグリッドにおいて音声信号と混合させる混合部とを備えたことを特徴とする直熱管を用いた真空管式オーディオアンプのハムノイズ除去回路。
【請求項４】
前記アナログ乗算回路に入力する前の前記ハムノイズ除去源信号の遅れ位相又は進み位相を調整する位相調整回路を備えたことを特徴とする請求項３に記載の直熱管を用いた真空管式オーディオアンプのハムノイズ除回路。
【発明の詳細な説明】
【技術分野】
【０００１】
この発明は、直熱管を用いた音声増幅器のハムノイズ除去方法及びその方法を利用したハムノイズ除去回路に関し、特に、音声増幅器のフィラメントに交流を供給する電源と同一系統の商用電源に接続された電源トランスから得られる交流波をハムノイズを打消す源波として利用することを特徴とするハムノイズ除去方法及びハムノイズ除去回路に関する。
【背景技術】
【０００２】
音声増幅器に用いられる真空管には、加熱電極と熱電子を放出する電極が同一の線条（フィラメント）である直熱型と、必要な加熱は周囲から絶縁されたヒーターに任せ、熱電子の放出はもっぱらヒーターの周囲を囲んだ電極（カソード）に行わせる傍熱型の２種類がある。傍熱型は直熱型に比べ、取り扱いが簡易で小型化が可能なため真空管式オーディオアンプにおいて広範に使用されている。これに対して、直熱型は直熱管を交流点火することから得られる音質的魅力により、現在も多くのオーディオ愛好家に支持され、現在もその製造が世界的に続けられている。
【０００３】
しかし、直熱管を用いた真空管式オーディオアンプは、フィラメントを交流点火して無帰還または低帰還シングルアンプとして使用したときに、特有のハム雑音が発生する、という問題がある。これは直熱型においてはフィラメントがカソードとして動作するために、フィラメントに加えられた交流電源の波形がオーディオ信号に混入するためである。また、フィラメントが周期的に加熱及び冷却されることにより、熱電子の放出量(アノード電流)が変化するためである。
【０００４】
かかる課題を解決するため、下記特許文献１では、音声入力部と、音声増幅部と、音声出力部と、相殺用交流信号発生部とを備え、相殺用交流信号を、音声増幅部に入力することにより発生したハムノイズと重畳させて除去することができるように構成されている音声増幅器であって、相殺用交流信号発生部は、半導体増幅素子３４を用い音声増幅部と別体として形成されており、相殺用交流信号は、全波整流回路２０又は半波整流回路で発生したハムノイズと同一又は１／２倍の周波数とし、逆位相とするとともに、その振幅を０．１乃至３％の範囲で歪ませた相似の波形を作成する。かかる相殺用交流信号で作成した波形を相殺用交流信号として、音声増幅部に入力することで、ハム雑音を低減する技術が開示されている。
【０００５】
しかし、特許文献１が開示する技術は、相殺用交流信号を半導体増幅素子３４を用い音声増幅部と別体として形成しているため、相殺用交流信号はハム雑音の波形と同一波形にならず、また相似波形ともならない。これは真空管式オーディオアンプに使用される商用電源は、エアコンやソーラーシステムの電力用インバータ等から発生する高調波成分が多く、歪成分が10パーセントを超える場合もあり、多量の高調波成分、不規則雑音成分、及び交流電源フリッカ等が重畳されているためである。この結果、特許文献１が開示する相殺用交流信号では、ハム雑音の効果的除去は難しい。
【０００６】
特許文献２に記載の技術は、音声増幅器と同じ直熱真空管を用いて、増幅器の出力端子で発生するのと同じ周波数で相似の交流雑音波形を発生させ、正負いずれかの位相の波形をその目的とする増幅器のいずれかの増幅段のいずれかの電極に注入して、最終段における交流雑音を相殺する技術が開示されている。
【０００７】
しかし、音声増幅器と同じ直熱管であっても個体差があるため、音声増幅器で発生しているハム雑音と交流雑音波形とは同一又は相似波形とはならず、また直熱真空管に点火する電源が異なれば交流雑音波形は異なる。この結果、特許文献２が開示する交流雑音波形では、ハム雑音の効果的除去は難しいという問題がある。
【０００８】
特許文献３には、オーディオアンプの出力部分においてハム雑音をキャンセルできるように除去信号の位相と振幅を設定するハム雑音を除去する装置において、前記ハム雑音の発生原因となっている交流電源と同期した信号を発生する第１の変圧回路と、前記第１の変圧回路から出力される同期信号に同期したキャンセル信号源を発生する周波数２逓倍回路と、前記周波数２逓倍回路の出力から高調波、不規則雑音、および交流電源のフリッカ等を除去して低歪み正弦波キャンセル信号を発生する第１のローパスフィルタおよび第１のバンドパスフィルタと、前記第１のバンドパスフィルタの出力にハム雑音をキャンセルするために必要な移相量を与える第１の位相反転回路および第１の移相器と、前記第１の移相器の出力をハム雑音をキャンセルするために必要な振幅に調整して加算する可変利得加算器とを備えて、前記可変利得加算器の出力における前記低歪み正弦波キャンセル信号の全高調波歪み率を０．０２％〜０．２％の値とすること、および前記低歪み正弦波キャンセル信号を発生させることにより、オーディオ信号に含まれるハム雑音の基本波成分または高調波成分のみを除去して、前記低歪み正弦波キャンセル信号の位相と振幅を互いに独立して調整できることを特徴とする、オーディオアンプのハム雑音のキャンセル装置、が開示されている。
【０００９】
特許文献３に記載の技術は、交流電源と同期した交流波を発生する第１の変圧回路からの出力をハム雑音のキャンセル信号源とし、かかる信号の２倍の周波数を全波整流による逓倍回路で作成している。そして、生成されたキャンセル信号の歪成分を後段のフィルター回路で取り除き、正弦波のみを抽出している。また、フィルター回路による位相のズレを、おそらく±９０度以上、移送回路により調整している。しかし、アンプに使用される商用電源は、エアコンやソーラーシステム等の電力用インバータ等から発生する高調波成分が多く、歪成分が10パーセントを超える場合もある。このため特許文献３に記載の技術では、商用電源の基本波(50,60Hz)には対応できるが、高調波成分により発生したノイズを効果的に除去できない。
【００１０】
下記非特許文献１には、フィラメントハム雑音をフィラメント電源波形を入力とするシステムの入出力応答と捉え、その伝達特性をセットごとに計測し、この伝達特性に基づき、リアルタイムにフィラメント電源波形より消去信号を生成し直熱真空管のフィラメントへ注入してフィラメントハム雑音を消去する技術が開示されている。
【００１１】
しかし、下記非特許文献１に記載の技術は、フィラメントハム雑音のキャンセル信号をフィラメントに入力しているが、かかるフィラメントにキャンセル信号を入力させる回路が、音声信号電流（プレートからの電流）に直列に接続すると、電流帰還となり音質に影響を与える。また、並列に接続すると、音声信号（プレート電流の直流分を除く）はキャンセル信号を入力させる回路を流れ音質が劣化する。
【００１２】
また、非特許文献１に記載の技術は出力トランスから交流ノイズを抽出し、かかる交流ノイズをハム雑音消去プロセッサーによりキャンセル信号を作成し、フィラメントに入力している。即ち、音楽を再生する前に、入力信号をミュートし、商用電源によるハムノイズを抽出するため、音楽再生中に商用電源の周波数や電圧が変動に対応できない。また、後段にフィルターが必要であり、かかるフィルターによりハムノイズの位相ズレを生じ、その調整をするためには広範囲な位相調整可能な回路が必要、という問題がある。
【先行技術文献】
【特許文献】
【００１３】
【特許文献１】実用新案登録第３１９３４１５号
【特許文献２】特開２００１−１１１３５５
【特許文献３】特許第５０５０２３１号
【非特許文献】
【００１４】
【非特許文献１】「究極の直熱管サウンドを求めて直熱真空管交流点火ハム雑音消去技術、有限会社上杉研究所  平成３０年５月」
【発明の開示】
【発明が解決しようとする課題】
【００１５】
そこで本発明の課題は、直熱管を用いた真空管式オーディオアンプに不可避的に生じる特有のハムノイズを、真空管式オーディオアンプが使用する商用電源の環境や時間変動に関わらず、ノイズ発生源の時間変動に追従しハムノイズを除去することが可能な直熱管を用いた真空管式オーディオアンプのハムノイズ除去方法、及びその方法を利用したハムノイズ除去回路を提供することにある。
【課題を解決するための手段】
【００１６】
上記課題を解決するため、本発明は、直熱管を用いた真空管式オーディオアンプで発生するハムノイズを除去するハムノイズ除去方法であって、
前記真空管式オーディオアンプに供給される電源と同一系統の商用電源に接続された電源トランスから出力される交流をハムノイズを除去するハムノイズ除去源信号とし、
前記ハムノイズ除去源信号の位相を反転又は同位相のまま、アナログ乗算回路によりその周波数を２逓倍し、その後、その位相及び／又は振幅を調整してハムノイズ除去信号を生成し、
前記ハムノイズ除去信号を前記真空管式オーディオアンプのグリッドにおいて音声信号と混合しハムノイズを除去することを特徴とする直熱管を用いた真空管式オーディオアンプのハムノイズ除去方法、である。
【００１７】
直熱管を用いた真空管式オーディオアンプに使用される商用電源は、エアコンやソーラーシステム等の電力用インバータ等から発生する高調波成分が多く含まれる波形歪を伴う交流であり、その波形歪は時間とともに変動している。直熱管を用いた真空管式オーディオアンプでは、かかる波形歪を伴う交流をフィラメントに印加しているため、時間とともに歪が変形する交流に起因するハムノイズが発生している。本発明では、フィラメントに印加される波形歪の交流と同じ波形歪の交流をハムノイズ除去源信号とし、その位相／振幅を調整した後の交流をハムノイズ除去信号として音声信号と混合する。これにより、フィラメントに印加される時間変動を伴う波形歪の交流に起因するハムノイズを確実に除去することができる。
【００１８】
前記アナログ乗算回路に入力する前の前記ハムノイズ除去源信号の遅れ位相又は進み位相を調整することは好ましい。電源トランスの内部インピーダンスと巻線の負荷電流の相違等により、生じる位相を調整した後にアナログ乗算回路で２逓倍することで、２逓倍後の位相調整を容易にすることができる。
【００１９】
本発明は、直熱管を用いた真空管式オーディオアンプで発生するハムノイズを除去するハムノイズ除去回路であって、
前記真空管式オーディオアンプに電源を供給する電源トランスと、
前記電源トランス又は前記電源トランスと同一系統の商用電源に接続された電源トランスから出力される交流をハムノイズ除去源信号とし、前記ハムノイズ除去源信号の周波数を２逓倍するアナログ乗算回路と、
前記アナログ乗算回路で２逓倍された交流の位相及び／又は振幅を調整する位相・振幅調整回路と、
前記位相・振幅調整回路からの出力であるハムノイズ除去信号を前記真空管式オーディオアンプのグリッドにおいて音声信号と混合させる混合部とを備えたことを特徴とする直熱管を用いた真空管式オーディオアンプのハムノイズ除去回路、である。
【００２０】
前記アナログ乗算回路に入力する前の前記ハムノイズ除去源信号の遅れ位相又は進み位相を調整する位相調整回路を備えることは好ましい。
【発明の効果】
【００２１】
本発明によれば、直熱管を用いた真空管式オーディオアンプに不可避的に生じる特有のハム雑音を、真空管式オーディオアンプに使用される商用電源の環境や時間変動に関わらず、ノイズ発生源の時間変動に追従しハムノイズを除去することが可能な直熱管を用いた真空管式オーディオアンプのハムノイズ除去方法、及びその方法を利用したハムノイズ除去回路を提供することができる。
【００２２】
【発明を実施するための最良の形態】
【００２３】
以下、図面を参照して、本発明の好ましい実施形態について説明する。図１は本発明の一実施の形態である直熱管を用いた真空管式オーディオアンプのハムノイズを除去するハムノイズ除去回路のブロック図である。ハムノイズ除去回路は、商用電源（交流電源）１０、ハムノイズ除去源信号生成部２０と、ハムノイズ除去用交流生成部３０とを備える。ハムノイズ除去源信号生成部２０は、電源トランス２２０と、フィラメントを加熱する交流を出力するフィラメント電源用交流出力部２１０と、ハムノイズを除去するハムノイズ除去源信号を出力するハムノイズ除去源信号出力部２３０とを備える。
【００２４】
ここで商用電源１０から供給される交流出力には、エアコンやソーラーシステムの電力用インバータ等から発生する高調波成分が重畳され、歪成分が10パーセントを超える場合もある。かかる歪成分が重畳された交流出力は、電源トランス２２０により低電圧に変圧されるが、変圧後の出力にも同様の歪成分がそのまま重畳されている。
【００２５】
商用電源１０からの交流は、フィラメント電源用とハムノイズ除去源信号用とに変圧される。ここで両者は同一の電源トランスにより変圧してもよく、また別々の電源トランスにより変圧しても良い。要は商用電源１０が共通であれば良い。電源トランス２２０が共通の場合には、電源トランス２２０からの交流（同一電源からの交流出力）を２系統に分割し、一つをフィラメント電源用交流出力部２１０により、直熱管を用いた真空管式オーディオアンプ４０のフィラメントに供給しフィラメントを加熱する。他の交流をハムノイズ除去源信号出力部２３０からハムノイズ除去信号生成部３０に供給する。
【００２６】
本発明の特徴の一つは、フィラメント電源用交流と、ハムノイズ除去源信号とが、同一系統の商用電源を使用しているところにある。これによりフィラメントに供給されている交流と同期し、かつ同じ歪成分が重畳されている歪波形の交流をハムノイズ除去源信号とすることができる。
【００２７】
ハムノイズ除去源信号出力部２３０から出力される交流（ハムノイズ除去源信号）は、ハムノイズ除去用交流生成部３０に入力する。ハムノイズ除去用交流生成部３０は、位相調整回路３１、アナログ乗算回路３２、位相調整・振幅調整回路３３とを備え、音声信号とハムノイズ除去信号とは混合部（図示されていない）において混合される。
【００２８】
位相調整回路３１に入力する交流の位相は、電源トランスの内部インピーダンスや巻線に流れる負荷電流の違い等により、グリッドに供給される交流と若干の位相差が生じる。位相調整回路３１は、かかる位相差を全体として±数度で位相調整する。
【００２９】
位相調整回路３１で位相微調整が行われたハムノイズ除去源信号は、アナログ乗算回路３２により２逓倍の周波数（５０Ｈｚ／６０Ｈｚは１００Ｈｚ／１２０Ｈｚ）に変換される。ハムノイズの基本周波数が、電源周波数の２倍となるためである。これは直熱管を用いた真空管式オーディオアンプ４０のフィラメントの温度がフィラメントに供給される交流の方向とは無関係にフィラメントが加熱され、その温度変化が２回現れること、またフィラメント内に仮想中点（接地電位となる物理的位置）が存在し、かかる仮想中点を中心に便宜上フィラメントが２つに分けられ、各々から熱電子が放出されるためである。
【００３０】
アナログ乗算回路３２０により２逓倍されたハムノイズ除去源信号は、位相調整・振幅調整回路３３０により位相と振幅の調整がされハムノイズ除去信号が生成される。ハムノイズ除去信号は、直熱管を用いた真空管式オーディオアンプ４０のグリッドにて音声信号と混合され、フィラメントの交流印加に起因するハムノイズを除去する。
【００３１】
本発明ではハムノイズ除去源信号の周波数を２逓倍するのにアナログ乗算回路を使用している。これはデジタル乗算回路では入力された交流波を一度A／D変換器を通し数値化してから演算し、演算結果を、再度D／A変換器でアナログ信号に変換し出力しなければならない。このため、デジタル乗算回路では、A／D変換時間による遅れや、D／A変換におけるデジタル成分を除去するローパスフィルターによる位相への影響、そしてデジタル回路から発生するノイズの影響があるためである。
【００３２】
一方、アナログ乗算回路は、通常、可聴周波数範囲内であれば十分な帯域幅があり、ハムノイズ除去源信号を乗算し、瞬時に、遅れることなく出力することができる。また、ローパスフィルターを必要としないので、上述したようなデジタル乗算回路の問題がない。さらに、直熱型真空管を使用したオーディオアンプの愛好家は、ＣＤ（Compact Disc）よりアナログレコードを好むように、デジタル音源やデジタルで加工された音声増幅器を好まない傾向にある。本発明のハムノイズ除去回路は全ての回路をアナログで構成し、直熱型真空管のハムノイズを除去している。
【００３３】
（実施例）
図２は本発明に基づいて作成したハムノイズ除去回路の一実施例である。直熱管を用いた真空管式オーディオアンプ４０のフィラメントに供給される商用電源と同一の商用電源の交流を、電源トランスＴ1によりE1に変圧する。また、アナログ乗算回路３２０の電源として±15Ｖを供給する。
【００３４】
図２において、ハムノイズ除去源信号生成部２００の電圧Ｅ１と、直熱管を用いた真空管式オーディオアンプ４０に印加される電圧Ｅ２とは同一電源トランスＴ１により変圧出力される。通常、商用電源の正弦波はエアコンやソーラーシステムの電力用インバータ等から発生する高調波成分が多く含み、その歪率は10パーセントを超える場合もある。商標電源には多量の高調波成分、不規則雑音成分、及び交流電源フリッカ等が重畳されている。商用電源の交流は歪をもった正弦波であり、係る歪は時間とともに変動する。フィラメントを加熱する交流は時間変動を伴う歪正弦波であり、かかる歪正弦波によりハムノイズが生成される。
【００３５】
ここで、ハムノイズ除去源信号と、グリッドに供給される交流との間には、トランスＴ１の内部インピーダンスと各巻線の負荷電流の相違等により、若干の位相差が生じる。また、抵抗Ｒ１、Ｒ２、コンデンサーＣ１、Ｃ２でハムノイズ除去源信号は進み位相となる。そこで、コンデンサーＣ３、抵抗Ｒ３、ＶＲ１により全体の位相を調整する。即ち、位相調整回路３１０は、商用電源の位相に対し、±数度の位相調整を行う。また、抵抗Ｒ１，Ｒ２は電圧Ｅ１を分圧し、ハムノイズ除去交流出力部の電圧を分圧する役目も担っている。なお、コンデンサーＣ１，Ｃ２により、電圧Ｅ１を使用せず、電圧Ｅ１に代えて電圧Ｅ２からの交流をハムノイズ除去源信号とすることもできる。かかる接続においては、フィラメントにバイアス電圧が発生しているため、コンデンサーC1,C2は直流電流をカットするカップリングコンデンサーの役目も果たしている。
【００３６】
アナログ乗算回路３２０は２組の入力ポートを備え、入力ポート１（ＩＮ１）と、入力ポート２（ＩＮ２）に同じ位相のハムノイズ除去源信号が入力したときには、アナログ乗算回路３２により、位相は反転せず周波数が２逓倍される。ＩＮ１、ＩＮ２に入力するハムノイズ除去源信号のどちらかの位相が反転されて各入力ポートに入力したときには、アナログ乗算回路３２０により、位相が反転され周波数が２逓倍される。即ち、スイッチＳ１はアナログ乗算回路３２０から出力される交流の位相を反転・非反転に切り替えるスイッチである。なお、位相を反転・非反転するのは、音声信号とハムノイズ除去信号とを混合する場所によって、ハムノイズ除去信号の位相を反転・非反転が必要となるためである。
【００３７】
アナログ乗算回路３２０から出力される交流は、抵抗Ｒ６、Ｒ７により所定の電圧値となり、可変抵抗ＶＲ２、コンデンサーＣ４、可変抵抗ＶＲ４でハムノイズ打消し信号の位相調整、振幅の微調整が行われ、混合器３４０の抵抗Ｒ８を経由して直熱管を用いた真空管式オーディオアンプ４０のグリッドにて混合される。なお、可変抵抗ＶＲ３、コンデンサーＣ５、可変抵抗ＶＲ５、抵抗Ｒ９はステレオの他チャンネル用である。
【００３８】
アナログ乗算回路３２０から出力される交流は十分な振幅（実効値で１Ｖ〜５Ｖ程度）があるので可変抵抗ＶＲ２により振幅を調整する。アナログ乗算回路３２０からの交流は直流成分を含むので、コンデンサーC4により直流分を遮断し交流のみを可変抵抗ＶＲ４に流す。また、コンデンサーC4は位相調整の役割を果たし、コンデンサーＣ４と可変抵抗ＶＲ４とでその位相を０度〜数度調整する。かかる位相調整は、ハムノイズ除去信号と音声信号とを混合する混合器３４０の抵抗Ｒ８を含む直熱管を用いた真空管式オーディオアンプのグリッド回路のインピーダンスによる位相の遅れを調整するものである。ハムノイズが最小となるように可変抵抗ＶＲ１、ＶＲ２、ＶＲ４を調整する。
【００３９】
図３は直熱管を用いた真空管式オーディオアンプ４０のフィラメントに供給される電圧Ｅ２を電源トランスT2により変圧し、これと同一系統の商用電源に接続した電源トランスＴ1により電圧E1に変圧し、ハムノイズ除去信号生成回路を構成する場合の図である。図２に示した実施例のように同一の電源トランスにより電圧Ｅ１、Ｅ２を得てもよく、また図３に示すように同一系統の商用電源に接続するトランスＴ１、Ｔ２により電圧Ｅ１、Ｅ２を得ても良い。
【００４０】
図４（ａ）はオシロスコープに表示された商用電源の交流波形であり、図４（ｂ）は直熱管を用いた真空管式オーディオアンプの出力段から生じているハム雑音の波形である。図４（ａ）に見られるように商用電源の交流波形は歪正弦波であり、多量の高調波成分、不規則雑音成分、及び交流電源フリッカ等が重畳されている。図４（ｂ）に見られるように、かかる歪正弦波が２逓倍されハムノイズとして直熱管を用いた真空管式オーディオアンプに出力されている。そのハムノイズは実効値で約１５．７２ミリボルトと計測された。
【００４１】
図５（ａ）は上述した実施例で作成したハムノイズ除去生成回路３００により生成したハムノイズ除去信号の波形であり、図５（ｂ）はそのハムノイズ除去信号を直熱管を用いた真空管式オーディオアンプのグリッドに入力させときの出力波形である。図５（ｂ）に見られるようにハムノイズ除去信号によりハムノイズが実効値で約０．３８ミリボルトと著しく低減された。
【００４２】
本発明のハムノイズ除去生成回路で生成されたハムノイズ除去信号は、直熱管を用いた真空管式オーディオアンプのフィラメントに印加される交流の波形に極めて近いものであり、ハムノイズ除去信号をこの音声増幅回路の信号経路に、ハムノイズを打ち消すよう混合することにより、効果的にハムノイズを打ち消すことが可能となる。
【図面の簡単な説明】
【００４３】
【図１】本発明の一実施の形態である直熱管を用いた音声増幅器のハムノイズを除去するハムノイズ除去回路のブロック図である。
【図２】本発明に基づいて、一実施例として作成したハムノイズ除去回路図である。
【図３】同一系統の商用電源に接続している電源トランスＴ２、Ｔ１により電圧Ｅ２、電圧E1を得る場合の回路図である。
【図４】オシロスコープによる商用電源の交流波形と、直熱管を用いた真空管式オーディオアンプの出力段から生じているハム雑音の波形である。
【図５】ハムノイズ除去生成回路３００により生成したハムノイズ除去信号の波形とハムノイズ除去信号を直熱管を用いた真空管式オーディオアンプのグリッドに入力させときの出力波形である。
【符号の説明】
【００４４】
１０  商用電源（交流電源） 
２０  ハムノイズ除去源信号生成部
３０  ハムノイズ除去用交流生成部
３１  位相調整回路
３２  アナログ乗算回路
３３  位相調整・振幅調整回路
４０  直熱管を用いた真空管式オーディオアンプ
２００  ハムノイズ除去源信号生成部
２１０  フィラメント電源用交流出力部
２２０  電源トランス
２３０  ハムノイズ除去源信号出力部
３００  ハムノイズ除去信号生成回路
３１０  位相調整回路
３２０  アナログ乗算回路
３３０  位相調整・振幅調整回路
３４０  混合器
【図１】
2020088645.tif 000003
【図２】
2020088645.tif 000004
【図３】
2020088645.tif 000005
【図４】
2020088645.tif 000006
【図５】
2020088645.tif 000007
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
直熱管を用いた真空管式オーディオアンプで発生するハムノイズを除去するハムノイズ除去方法であって、
前記真空管式オーディオアンプに供給される商用電源と同一系統の商用電源に接続された電源トランスから出力される交流を、ハムノイズを除去するハムノイズ除去源信号とし、
前記ハムノイズ除去源信号の遅れ位相又は進み位相を調整し、
前記調整されたハムノイズ除去源信号の位相を反転又は同位相のまま、アナログ乗算回路によりその周波数を２逓倍し、その後、その位相及び／又は振幅を調整してハムノイズ除去信号を生成し、
前記ハムノイズ除去信号を前記真空管式オーディオアンプのグリッドにおいて音声信号と混合しハムノイズを除去することを特徴とする直熱管を用いた真空管式オーディオアンプのハムノイズ除去方法。
【請求項２】
直熱管を用いた真空管式オーディオアンプで発生するハムノイズを除去するハムノイズ除去回路であって、
前記真空管式オーディオアンプに電源を供給する電源トランスと、
前記電源トランス又は前記電源トランスと同一系統の商用電源に接続された電源トランスから出力される交流をハムノイズ除去源信号とし、前記ハムノイズ除去源信号の遅れ位相又は進み位相を調整する位相調整回路と、
前記位相調整回路から出力されるハムノイズ除去源信号の周波数を２逓倍するアナログ乗算回路と、
前記アナログ乗算回路で２逓倍された交流の位相及び／又は振幅を調整する位相・振幅調整回路と、
前記位相・振幅調整回路からの出力であるハムノイズ除去信号を前記真空管式オーディオアンプのグリッドにおいて音声信号と混合させる混合部とを備えたことを特徴とする直熱管を用いた真空管式オーディオアンプのハムノイズ除去回路。